(57)【要約】【課題】本発明は、物理的に距離を確保することが難しい狭スペースに高密度配置された釦に対して、同時押しという状態を発生させない静電容量型釦装置を提供することを目的とする。【解決手段】本発明の静電容量型釦装置は、静電容量型の複数の釦１、２、３を有する静電容量型釦装置であって、表面積が異なる釦１、２、３を隣接させ、表面積が第１の釦１よりも小さな第２の釦２の誘電率を、第１の釦１の誘電率よりも高くしたことを特徴とする。【選択図】        図１
2013187107.tif 000002
【特許請求の範囲】
【請求項１】
静電容量型の複数の釦を有する静電容量型釦装置であって、表面積が異なる前記釦を隣接させ、表面積が第１の前記釦よりも小さな第２の前記釦の誘電率を、第１の前記釦の誘電率よりも高くしたことを特徴とする静電容量型釦装置。
【請求項２】
第１の前記釦の静電容量変化を検出する第１釦用静電容量変化検出手段と、
前記第１釦用静電容量変化検出手段で検出した静電容量が閾値を越えているか否かを判定する第１釦用静電容量変化判定手段と、
第２の前記釦の静電容量変化を検出する第２釦用静電容量変化検出手段と、
前記第２釦用静電容量変化検出手段で検出した静電容量が閾値を越えているか否かを判定する第２釦用静電容量変化判定手段と、
前記第１釦用静電容量変化判定手段及び第２釦用静電容量変化判定手段のいずれかが閾値を越えたことを判定した場合には閾値を越えた前記釦の釦押下情報を操作情報に変換する釦押下情報変換手段と、
前記釦押下情報変換手段で変換された前記操作情報によって制御する釦押下情報制御手段とを備え、
前記第１釦用静電容量変化判定手段及び前記第２釦用静電容量変化判定手段が閾値を越えたことを判定した場合には、前記釦押下情報変換手段では第２の前記釦の釦押下情報を操作情報に変換させる優先処理手段を設けたことを特徴とする請求項１に記載の静電容量型釦装置。
【請求項３】
表面積が第２の前記釦よりも大きく、誘電率が第２の前記釦よりも低い第３の前記釦を有し、第２の前記釦を第１の前記釦と第３の前記釦との間に配置したことを特徴とする請求項１に記載の静電容量型釦装置。
【請求項４】
表面積が第２の前記釦よりも大きく、誘電率が第２の前記釦よりも低い第３の前記釦を有し、第２の前記釦を第１の前記釦と第３の前記釦との間に配置し、
第３の前記釦の静電容量変化を検出する第３釦用静電容量変化検出手段と、
前記第３釦用静電容量変化検出手段で検出した静電容量が閾値を越えているか否かを判定する第３釦用静電容量変化判定手段とを備え、
前記釦押下情報変換手段は、前記第３釦用静電容量変化判定手段が閾値を越えたことを判定した場合には第３の前記釦の釦押下情報を前記操作情報に変換し、
前記優先処理手段は、前記第２釦用静電容量変化判定手段及び前記第３釦用静電容量変化判定手段が閾値を越えたことを判定した場合には、前記釦押下情報変換手段では第２の前記釦の釦押下情報を操作情報に変換させることを特徴とする請求項２に記載の静電容量型釦装置。
【請求項５】
前記優先処理手段は、前記第１釦用静電容量変化判定手段、前記第２釦用静電容量変化判定手段、及び前記第３釦用静電容量変化判定手段が閾値を越えたことを判定した場合には、前記釦押下情報変換手段では第２の前記釦の釦押下情報を操作情報に変換させることを特徴とする請求項４に記載の静電容量型釦装置。
【請求項６】
第１の前記釦の前記操作情報を音量増加指示とし、第２の前記釦の前記操作情報をＯＮ／ＯＦＦ指示とし、第３の前記釦の前記操作情報を音量減少指示としたことを特徴とする請求項３から請求項５のいずれかに記載の静電容量型釦装置。
【請求項７】
第１の前記釦の前記操作情報をナビゲーションシステムにおける目的地表示とし、第２の前記釦の前記操作情報を前記ナビゲーションシステムにおける現在位置表示とし、第３の前記釦の前記操作情報を前記ナビゲーションシステムからオーディオシステムへの切り替え指示としたことを特徴とする請求項３から請求項５のいずれかに記載の静電容量型釦装置。
【請求項８】
第１の前記釦の前記操作情報をナビゲーションシステムにおける一方向への選択表示とし、第２の前記釦の前記操作情報を選択内容の決定指示とし、第３の前記釦の前記操作情報を他方向への選択表示としたことを特徴とする請求項３から請求項５のいずれかに記載の静電容量型釦装置。
【発明の詳細な説明】
【技術分野】
【０００１】
本発明は、例えばナビゲーションやオーディオ機器のスイッチに用いられる静電容量型釦装置に関する。
【背景技術】
【０００２】
カーナビゲーションに於いて、各種機能が割り振られたハードスイッチが存在する。これに対して、近年、人体が持つ静電容量を感知して動作をする、静電容量式スイッチが普及しつつあり、カーナビゲーションにも用いられている。静電容量式スイッチは、押下力を掛けずに触れるだけで検出することが可能である。
特許文献１では、静電容量式スイッチを用い、2つの釦電極間に於ける指の動きに対する技術を開示している。
【先行技術文献】
【特許文献】
【０００３】
【特許文献１】特開２００９−２７２０４３号公報
【発明の概要】
【発明が解決しようとする課題】
【０００４】
しかし、静電容量式スイッチは、狭スペースに高密度配置する場合には誤操作が発生する恐れがあるために、確実に意図した釦を押下できる、ハードスイッチを採用することが一般的である。
特許文献１では、個々の釦電極について物理的に離れた配置であり、個別に反応検出することが可能であるが、高密度配置された小さな釦形状では、多重押しと検出されて、意図した釦だけを反応検出できない場合がある。
【０００５】
本発明は、物理的に距離を確保することが難しい狭スペースに高密度配置された釦に対して、同時押しという状態を発生させない静電容量型釦装置を提供することを目的とする。
【課題を解決するための手段】
【０００６】
請求項１記載の本発明の静電容量型釦装置は、静電容量型の複数の釦を有する静電容量型釦装置であって、表面積が異なる前記釦を隣接させ、表面積が第１の前記釦よりも小さな第２の前記釦の誘電率を、第１の前記釦の誘電率よりも高くしたことを特徴とする。
請求項２記載の本発明は、請求項１に記載の静電容量型釦装置において、第１の前記釦の静電容量変化を検出する第１釦用静電容量変化検出手段と、前記第１釦用静電容量変化検出手段で検出した静電容量が閾値を越えているか否かを判定する第１釦用静電容量変化判定手段と、第２の前記釦の静電容量変化を検出する第２釦用静電容量変化検出手段と、前記第２釦用静電容量変化検出手段で検出した静電容量が閾値を越えているか否かを判定する第２釦用静電容量変化判定手段と、前記第１釦用静電容量変化判定手段及び第２釦用静電容量変化判定手段のいずれかが閾値を越えたことを判定した場合には閾値を越えた前記釦の釦押下情報を操作情報に変換する釦押下情報変換手段と、前記釦押下情報変換手段で変換された前記操作情報によって制御する釦押下情報制御手段とを備え、前記第１釦用静電容量変化判定手段及び前記第２釦用静電容量変化判定手段が閾値を越えたことを判定した場合には、前記釦押下情報変換手段では第２の前記釦の釦押下情報を操作情報に変換させる優先処理手段を設けたことを特徴とする。
請求項３記載の本発明は、請求項１に記載の静電容量型釦装置において、表面積が第２の前記釦よりも大きく、誘電率が第２の前記釦よりも低い第３の前記釦を有し、第２の前記釦を第１の前記釦と第３の前記釦との間に配置したことを特徴とする。
請求項４記載の本発明は、請求項２に記載の静電容量型釦装置において、表面積が第２の前記釦よりも大きく、誘電率が第２の前記釦よりも低い第３の前記釦を有し、第２の前記釦を第１の前記釦と第３の前記釦との間に配置し、第３の前記釦の静電容量変化を検出する第３釦用静電容量変化検出手段と、前記第３釦用静電容量変化検出手段で検出した静電容量が閾値を越えているか否かを判定する第３釦用静電容量変化判定手段とを備え、前記釦押下情報変換手段は、前記第３釦用静電容量変化判定手段が閾値を越えたことを判定した場合には第３の前記釦の釦押下情報を前記操作情報に変換し、前記優先処理手段は、前記第２釦用静電容量変化判定手段及び前記第３釦用静電容量変化判定手段が閾値を越えたことを判定した場合には、前記釦押下情報変換手段では第２の前記釦の釦押下情報を操作情報に変換させることを特徴とする。
請求項５記載の本発明は、請求項４に記載の静電容量型釦装置において、前記優先処理手段は、前記第１釦用静電容量変化判定手段、前記第２釦用静電容量変化判定手段、及び前記第３釦用静電容量変化判定手段が閾値を越えたことを判定した場合には、前記釦押下情報変換手段では第２の前記釦の釦押下情報を操作情報に変換させることを特徴とする。
請求項６記載の本発明は、請求項３から請求項５のいずれかに記載の静電容量型釦装置において、第１の前記釦の前記操作情報を音量増加指示とし、第２の前記釦の前記操作情報をＯＮ／ＯＦＦ指示とし、第３の前記釦の前記操作情報を音量減少指示としたことを特徴とする。
請求項７記載の本発明は、請求項３から請求項５のいずれかに記載の静電容量型釦装置において、第１の前記釦の前記操作情報をナビゲーションシステムにおける目的地表示とし、第２の前記釦の前記操作情報を前記ナビゲーションシステムにおける現在位置表示とし、第３の前記釦の前記操作情報を前記ナビゲーションシステムからオーディオシステムへの切り替え指示としたことを特徴とする。
請求項８記載の本発明は、請求項３から請求項５のいずれかに記載の静電容量型釦装置において、第１の前記釦の前記操作情報をナビゲーションシステムにおける一方向への選択表示とし、第２の前記釦の前記操作情報を選択内容の決定指示とし、第３の前記釦の前記操作情報を他方向への選択表示としたことを特徴とする。
【発明の効果】
【０００７】
本発明によれば、表面積が小さな第２の釦の誘電率を高くすることで、第２の釦の静電容量変化量を大きくでき、表面積を異ならせて複数の釦を高密度配置した場合にも、表面積の小さな釦の反応を高め、確実な操作性を確保することができる。
また本発明によれば、釦に対する優先順位を設定することで、複数の釦を高密度配置した場合に生じる同時押しを回避し、任意の釦だけを独立して反応検出することができる。
【図面の簡単な説明】
【０００８】
【図１】本発明の一実施例による静電容量型釦装置の釦レイアウトを示すイメージ図
【図２】同実施例による静電容量型釦装置を機能実現手段で表したブロック図
【図３】同実施例による静電容量型釦装置で第１の釦を押下した状態を示す概念図及び静電容量変化量を示すグラフ
【図４】図３の状態における処理流れを示すフローチャート
【図５】同実施例による静電容量型釦装置で第１の釦と第２の釦を押下した状態を示す概念図及び静電容量変化量を示すグラフ
【図６】図５の状態における処理流れを示すフローチャート
【図７】同実施例による静電容量型釦装置で第１の釦、第２の釦、及び第３の釦を押下した状態を示す概念図及び静電容量変化量を示すグラフ
【図８】図７の状態における処理流れを示すフローチャート
【発明を実施するための形態】
【０００９】
本発明の第１の実施の形態による静電容量型釦装置は、表面積が異なる釦を隣接させ、表面積が第１の釦よりも小さな第２の釦の誘電率を、第１の釦の誘電率よりも高くしたものである。本実施の形態によれば、表面積が小さな第２の釦の誘電率を高くすることで、第２の釦の静電容量変化量を大きくでき、表面積を異ならせて複数の釦を高密度配置した場合にも、表面積の小さな釦の反応を高め、確実な操作性を確保することができる。
【００１０】
本発明の第２の実施の形態は、第１の実施の形態による静電容量型釦装置において、第１の釦の静電容量変化を検出する第１釦用静電容量変化検出手段と、第１釦用静電容量変化検出手段で検出した静電容量が閾値を越えているか否かを判定する第１釦用静電容量変化判定手段と、第２の釦の静電容量変化を検出する第２釦用静電容量変化検出手段と、第２釦用静電容量変化検出手段で検出した静電容量が閾値を越えているか否かを判定する第２釦用静電容量変化判定手段と、第１釦用静電容量変化判定手段及び第２釦用静電容量変化判定手段のいずれかが閾値を越えたことを判定した場合には閾値を越えた釦の釦押下情報を操作情報に変換する釦押下情報変換手段と、釦押下情報変換手段で変換された操作情報によって制御する釦押下情報制御手段とを備え、第１釦用静電容量変化判定手段及び第２釦用静電容量変化判定手段が閾値を越えたことを判定した場合には、釦押下情報変換手段では第２の釦の釦押下情報を操作情報に変換させる優先処理手段を設けたものである。本実施の形態によれば、釦に対する優先順位を設定することで、複数の釦を高密度配置した場合に生じる同時押しを回避し、任意の釦だけを独立して反応検出することができる。
【００１１】
本発明の第３の実施の形態は、第１の実施の形態による静電容量型釦装置において、表面積が第２の釦よりも大きく、誘電率が第２の釦よりも低い第３の釦を有し、第２の釦を第１の釦と第３の釦との間に配置したものである。本実施の形態によれば、３つの釦が高密度配置された場合に、第１の釦と第３の釦の間に配置された第２の釦の反応を高め、第２の釦の確実な操作性を確保することができる。
【００１２】
本発明の第４の実施の形態は、第２の実施の形態による静電容量型釦装置において、表面積が第２の釦よりも大きく、誘電率が第２の釦よりも低い第３の釦を有し、第２の釦を第１の釦と第３の釦との間に配置し、第３の釦の静電容量変化を検出する第３釦用静電容量変化検出手段と、第３釦用静電容量変化検出手段で検出した静電容量が閾値を越えているか否かを判定する第３釦用静電容量変化判定手段とを備え、釦押下情報変換手段は、第３釦用静電容量変化判定手段が閾値を越えたことを判定した場合には第３の釦の釦押下情報を操作情報に変換し、優先処理手段は、第２釦用静電容量変化判定手段及び第３釦用静電容量変化判定手段が閾値を越えたことを判定した場合には、釦押下情報変換手段では第２の釦の釦押下情報を操作情報に変換させるものである。本実施の形態によれば、第１の釦と第３の釦の間に配置された第２の釦を優先設定することで、３つの釦を高密度配置した場合に生じる同時押しを回避し、第２の釦だけを独立して反応検出することができる。
【００１３】
本発明の第５の実施の形態は、第４の実施の形態による静電容量型釦装置において、優先処理手段は、第１釦用静電容量変化判定手段、第２釦用静電容量変化判定手段、及び第３釦用静電容量変化判定手段が閾値を越えたことを判定した場合には、釦押下情報変換手段では第２の釦の釦押下情報を操作情報に変換させるものである。本実施の形態によれば、高密度配置により３つの釦が同時押しされる場合が生じても、第２の釦だけを独立して反応検出することができる。
【００１４】
本発明の第６の実施の形態は、第３から第５の実施の形態による静電容量型釦装置において、第１の釦の操作情報を音量増加指示とし、第２の釦の操作情報をＯＮ／ＯＦＦ指示とし、第３の釦の操作情報を音量減少指示としたものである。本実施の形態によれば、確実に機能させたいＯＮ／ＯＦＦ指示だけを反応させることができる。
【００１５】
本発明の第７の実施の形態は、第３から第５の実施の形態による静電容量型釦装置において、第１の釦の操作情報をナビゲーションシステムにおける目的地表示とし、第２の釦の操作情報をナビゲーションシステムにおける現在位置表示とし、第３の釦の操作情報をナビゲーションシステムからオーディオシステムへの切り替え指示としたものである。本実施の形態によれば、確実に機能させたい現在位置表示だけを反応させることができる。
【００１６】
本発明の第８の実施の形態は、第３から第５の実施の形態による静電容量型釦装置において、第１の釦の操作情報をナビゲーションシステムにおける一方向への選択表示とし、第２の釦の操作情報を選択内容の決定指示とし、第３の釦の操作情報を他方向への選択表示としたものである。本実施の形態によれば、確実に機能させたい決定指示だけを反応させることができる。
【実施例】
【００１７】
以下本発明の一実施例による静電容量型釦装置について説明する。
図１は本実施例による静電容量型釦装置の釦レイアウトを示すイメージ図である。
図１に示すように、本実施例による静電容量型釦装置は、背面に静電シートを配置した静電容量型の複数の釦１、２、３を有する。
図１では、第１の釦１と、第２の釦２と、第３の釦３とは隣接し、第２の釦２の表面積は、第１の釦１及び第３の釦３よりも小さく構成している。第２の釦２は表面形状を円形状とし、第１の釦１と第３の釦３とは第２の釦２の外周部に位置し、第１の釦１と第３の釦３とで形成される外周形状を四角形状としている。
人差し指のイメージで示すように、釦１、２、３は、それ自体の表面積が小さく、かつそれぞれの釦１、２、３同士を近接させて高密度配置されている。
【００１８】
第２の釦２の誘電率は、第１の釦１の誘電率及び第３の釦３の誘電率よりも高くしている。また、表面積が等しい第１の釦１と第３の釦３とは、同じ誘電率としている。
誘電率は、釦１、２、３に用いる材料によって変更することができる。例えば、第１の釦１と第３の釦３とを合成樹脂（ＡＢＳ樹脂）で成型し、第２の釦２をカーボンを含有させた合成樹脂（ＡＢＳ樹脂）で成型することで、第１の釦１及び第３の釦３に対して第２の釦２の誘電率を高くすることができる。
なお、静電容量＝表面積×誘電率／距離の関係にあるため、表面積の小さな第２の釦２の誘電率を高めることで、第１の釦１、第２の釦２、及び第３の釦３の静電容量を等しくすることもできる。
【００１９】
図２は本実施例による静電容量型釦装置を機能実現手段で表したブロック図である。
制御手段１０は、第１の釦１、第２の釦２、及び第３の釦３での操作を検出し、操作情報を出力する。
制御手段１０は、第１釦用静電容量変化検出手段１１と、第２釦用静電容量変化検出手段１２と、第３釦用静電容量変化検出手段１３とを有する。第１釦用静電容量変化検出手段１１は、第１の釦１の静電容量変化を検出する。第２釦用静電容量変化検出手段１２は、第２の釦２の静電容量変化を検出する。第３釦用静電容量変化検出手段１３は、第３の釦３の静電容量変化を検出する。
また制御手段１０は、第１釦用静電容量変化判定手段１４と、第２釦用静電容量変化判定手段１５と、第３釦用静電容量変化判定手段１６とを有する。第１釦用静電容量変化判定手段１４は、第１釦用静電容量変化検出手段１１で検出した静電容量が閾値を越えているか否かを判定する。第２釦用静電容量変化判定手段１５は、第２釦用静電容量変化検出手段１２で検出した静電容量が閾値を越えているか否かを判定する。第３釦用静電容量変化判定手段１６は、第３釦用静電容量変化検出手段１３で検出した静電容量が閾値を越えているか否かを判定する。
【００２０】
また制御手段１０は、優先処理手段１７、釦押下情報変換手段１８、及び釦押下情報制御手段１９を設けている。
優先処理手段１７は、第１釦用静電容量変化判定手段１４及び第２釦用静電容量変化判定手段１５がともに閾値を越えたことを判定した場合には、釦押下情報変換手段１８では第２の釦２の釦押下情報を操作情報に変換させる。
また優先処理手段１７は、第２釦用静電容量変化判定手段１５及び第３釦用静電容量変化判定手段１６がともに閾値を越えたことを判定した場合には、前記釦押下情報変換手段１８では第２の釦２の釦押下情報を操作情報に変換させる。
また優先処理手段１７は、第１釦用静電容量変化判定手段１４、第２釦用静電容量変化判定手段１５、及び第３釦用静電容量変化判定手段１６がすべて閾値を越えたことを判定した場合には、釦押下情報変換手段１８では第２の釦２の釦押下情報を操作情報に変換させる。
釦押下情報変換手段１８は、第１釦用静電容量変化判定手段１４、第２釦用静電容量変化判定手段１５、及び第３釦用静電容量変化判定手段１６のいずれかが閾値を越えたことを判定した場合には、閾値を越えた釦１、２、３の釦押下情報を操作情報に変換する。
釦押下情報制御手段１９は、釦押下情報変換手段１８で変換された操作情報によって制御対象となる機器を制御する。
【００２１】
図３は本実施例による静電容量型釦装置で第１の釦を押下した状態を示す概念図及び静電容量変化量を示すグラフ、図４は図３の状態における処理流れを示すフローチャートである。
図３に示すように、第１の釦１を押下することで、第１の釦１の静電容量が閾値を越える。
【００２２】
図４において、第１の釦１を押下すると（Ｓ１１）、第１釦用静電容量変化検出手段１１、第２釦用静電容量変化検出手段１２、及び第３釦用静電容量変化検出手段１３では、それぞれ第１の釦１、第２の釦２、及び第３の釦３での静電容量変化を検出する（Ｓ２）。そして、第１釦用静電容量変化判定手段１４では、第１釦用静電容量変化検出手段１１で検出した静電容量が閾値を越えているか否かを判定し、第２釦用静電容量変化判定手段１５では、第２釦用静電容量変化検出手段１２で検出した静電容量が閾値を越えているか否かを判定し、第３釦用静電容量変化判定手段１６では、第３釦用静電容量変化検出手段１３で検出した静電容量が閾値を越えているか否かを判定する（Ｓ３）。
ステップ３において、第２釦用静電容量変化検出手段１２で検出した静電容量が閾値を越えていないと判断されると、釦押下情報変換手段１８では、閾値を越えた第１の釦１の釦押下情報を操作情報に変換する（Ｓ４）。
【００２３】
図５は本実施例による静電容量型釦装置で第１の釦と第２の釦を押下した状態を示す概念図及び静電容量変化量を示すグラフ、図６は図５の状態における処理流れを示すフローチャートである。
図５に示すように、第２の釦２を押下するときに第１の釦１も同時に押下することがあり、第１の釦１及び第２の釦２の静電容量が閾値を越える。
【００２４】
図６において、第２の釦２とともに第１の釦１が押下されると（Ｓ１２）、第１釦用静電容量変化検出手段１１、第２釦用静電容量変化検出手段１２、及び第３釦用静電容量変化検出手段１３では、それぞれ第１の釦１、第２の釦２、及び第３の釦３での静電容量変化を検出する（Ｓ２）。そして、第１釦用静電容量変化判定手段１４では、第１釦用静電容量変化検出手段１１で検出した静電容量が閾値を越えているか否かを判定し、第２釦用静電容量変化判定手段１５では、第２釦用静電容量変化検出手段１２で検出した静電容量が閾値を越えているか否かを判定し、第３釦用静電容量変化判定手段１６では、第３釦用静電容量変化検出手段１３で検出した静電容量が閾値を越えているか否かを判定する（Ｓ３）。
【００２５】
ステップ３において、第２釦用静電容量変化検出手段１２で検出した静電容量が閾値を越えていないと判断されると、釦押下情報変換手段１８では、閾値を越えた第１の釦１の釦押下情報を操作情報に変換する（Ｓ４）。
ステップ３において、第２釦用静電容量変化検出手段１２で検出した静電容量が閾値を越えていると判断されると、第１釦用静電容量変化判定手段１４の判定結果が判断される（Ｓ５）。
ステップ５において、第１釦用静電容量変化検出手段１１で検出した静電容量が閾値を越えていると判断されると、優先処理手段１７によって第１の釦１の釦押下情報を破棄し（Ｓ６）、釦押下情報変換手段１８では、閾値を越えた第２の釦２の釦押下情報を操作情報に変換する（Ｓ７）。
【００２６】
なお、図５では、第１の釦１による静電容量変化量が第２の釦２の静電容量変化量よりも小さい場合を示しているが、第１の釦１による静電容量変化量が第２の釦２の静電容量変化量よりも大きい場合でも処理結果は変わらない。
【００２７】
図７は本実施例による静電容量型釦装置で第１の釦、第２の釦、及び第３の釦を押下した状態を示す概念図及び静電容量変化量を示すグラフ、図８は図７の状態における処理流れを示すフローチャートである。
図７に示すように、第２の釦２を押下するときに第１の釦１及び第３の釦も同時に押下することがあり、第１の釦１、第２の釦２、及び第３の釦３の静電容量が閾値を越える。
【００２８】
図８において、第２の釦２とともに第１の釦１及び第３の釦３が押下されると（Ｓ１３）、第１釦用静電容量変化検出手段１１、第２釦用静電容量変化検出手段１２、及び第３釦用静電容量変化検出手段１３では、それぞれ第１の釦１、第２の釦２、及び第３の釦３での静電容量変化を検出する（Ｓ２）。そして、第１釦用静電容量変化判定手段１４では、第１釦用静電容量変化検出手段１１で検出した静電容量が閾値を越えているか否かを判定し、第２釦用静電容量変化判定手段１５では、第２釦用静電容量変化検出手段１２で検出した静電容量が閾値を越えているか否かを判定し、第３釦用静電容量変化判定手段１６では、第３釦用静電容量変化検出手段１３で検出した静電容量が閾値を越えているか否かを判定する（Ｓ３）。
【００２９】
ステップ３において、第２釦用静電容量変化検出手段１２で検出した静電容量が閾値を越えていないと判断されると、釦押下情報変換手段１８では、閾値を越えた第１の釦１の釦押下情報又は第３の釦３の釦押下情報を操作情報に変換する（Ｓ８）。
ステップ３において、第２釦用静電容量変化検出手段１２で検出した静電容量が閾値を越えていると判断されると、第１釦用静電容量変化判定手段１４及び第３釦用静電容量変化判定手段１６の判定結果が判断される（Ｓ９）。
ステップ９において、第１釦用静電容量変化検出手段１１及び第３釦用静電容量変化検出手段１３で検出した静電容量が閾値を越えていると判断されると、優先処理手段１７によって第１の釦１の釦押下情報及び第３の釦３の釦押下情報を破棄し（Ｓ１０）、釦押下情報変換手段１８では、閾値を越えた第２の釦２の釦押下情報を操作情報に変換する（Ｓ７）。
【００３０】
なお、図７では、第１の釦１による静電容量変化量及び第３の釦３による静電容量変化量が第２の釦２の静電容量変化量よりも小さい場合を示しているが、第１の釦１による静電容量変化量及び第３の釦３による静電容量変化量が第２の釦２の静電容量変化量よりも大きい場合でも処理結果は変わらない。
【００３１】
以上のように、本実施例によれば、表面積が小さな第２の釦２の誘電率を高くすることで、第２の釦２の静電容量変化量を大きくでき、表面積を異ならせて複数の釦を高密度配置した場合にも、表面積の小さな釦の反応を高め、確実な操作性を確保することができる。
また本実施例では、釦１、２、３に対する優先順位を設定することで、複数の釦１、２、３を高密度配置した場合に生じる同時押しを回避し、任意の釦１、２、３だけを独立して反応検出することができる。
また本実施例では、３つの釦１、２、３が高密度配置された場合に、第１の釦１と第３の釦３の間に配置された第２の釦２の反応を高め、第２の釦２の確実な操作性を確保することができる。
また本実施例では、第１の釦１と第３の釦３の間に配置された第２の釦２を優先設定することで、３つの釦１、２、３を高密度配置した場合に生じる同時押しを回避し、第２の釦２だけを独立して反応検出することができる。
また本実施例では、高密度配置により３つの釦１、２、３が同時押しされる場合が生じても、第２の釦２だけを独立して反応検出することができる。
本実施例は、第１の釦１の操作情報を音量増加指示とし、第２の釦２の操作情報をＯＮ／ＯＦＦ指示とし、第３の釦３の操作情報を音量減少指示として適用でき、各釦１、２、３に割り振られた機能の中で、確実に機能させたいＯＮ／ＯＦＦ指示だけを反応させることができる。
また本実施例は、第１の釦１の操作情報をナビゲーションシステムにおける目的地表示とし、第２の釦２の操作情報をナビゲーションシステムにおける現在位置表示とし、第３の釦３の操作情報をナビゲーションシステムからオーディオシステムへの切り替え指示として適用でき、各釦１、２、３に割り振られた機能の中で、確実に機能させたい現在位置表示だけを反応させることができる。
また本実施例は、第１の釦１の操作情報をナビゲーションシステムにおける一方向への選択表示とし、第２の釦２の操作情報を選択内容の決定指示とし、第３の釦３の操作情報を他方向への選択表示として適用でき、各釦１、２、３に割り振られた機能の中で、確実に機能させたい決定指示だけを反応させることができる。
【産業上の利用可能性】
【００３２】
本発明は、物理的に距離を確保することが難しい狭スペースに高密度配置された釦を有する静電容量型釦装置に適している。
【符号の説明】
【００３３】
１  釦（第１の釦）
２  釦（第２の釦）
３  釦（第３の釦）
１０  制御手段
１１  第１釦用静電容量変化検出手段
１２  第２釦用静電容量変化検出手段
１３  第３釦用静電容量変化検出手段
１４  第１釦用静電容量変化判定手段
１５  第２釦用静電容量変化判定手段
１６  第３釦用静電容量変化判定手段
１７  優先処理手段
１８  釦押下情報変換手段
１９  釦押下情報制御手段
【図１】
2013187107.tif 000003
【図２】
2013187107.tif 000004
【図３】
2013187107.tif 000005
【図４】
2013187107.tif 000006
【図５】
2013187107.tif 000007
【図６】
2013187107.tif 000008
【図７】
2013187107.tif 000009
【図８】
2013187107.tif 000010